(57)【要約】【課題】プリント基板とソケットコネクタとを機械的に結合し、プリント基板とソケットコネクタを電気的に接続することができる電磁弁用コネクタを提供する。【解決手段】電磁弁用コネクタ２０は、ハウジング２１と、ハウジング２１に嵌挿されたターミナルソケット２２と、ターミナルソケット２２に係合し該ターミナルソケットに電気的に結合するプリント基板２３とから構成される。ハウジング２１には、ケーブル差込部２６と、ケーブル差込部２６に隣接して該ケーブル差込部２６に略直交した方向に延伸する断面略正形状の開口部２７とを、有する。ケーブル差込部２６の一端側開口部には内方にねじ部２８が形成されている。ねじ部２８には、開口部３０が形成されたねじソケット２９が螺着される。【選択図】図１
2007005065.tif 000002
【特許請求の範囲】
【請求項１】
ハウジングと、
前記ハウジングに嵌挿されたプリント基板と、
を有する電磁弁用コネクタにおいて、
前記ハウジングに嵌挿され電磁弁との係合により電気的結合する端子金具を有するターミナルソケットと、
電気回路を有するプリント基板と、
前記プリント基板に設けられ前記電気回路に接続される複数個の突起部材と、
を備え、
前記突起部材が前記ターミナルソケットに配設された前記端子金具に整合する位置に設けられ、前記プリント基板を前記ターミナルソケットに嵌挿した際、前記突起部材が前記端子金具に係合して前記プリント基板と前記ターミナルソケットとが電気的に接続されることを特徴とする電磁弁用コネクタ。
【請求項２】
請求項１の電磁弁用コネクタにおいて、
前記突起部材は電気回路の一部、前記ターミナルソケットと前記プリント基板とを固定及び位置決め機能を有することを特徴とする電磁弁用コネクタ。
【請求項３】
請求項１記載の電磁弁用コネクタにおいて、
前記ハウジングは透明又は半透明の合成樹脂材料で形成されることを特徴とする電磁弁用コネクタ。
【発明の詳細な説明】
【技術分野】
【０００１】
本発明は、油圧または空圧等の電磁弁に電気結線される電磁弁用コネクタに関し、さらに詳細には電磁弁の小型化及び高機能化に寄与することができる電磁弁用コネクタに関する。
【背景技術】
【０００２】
従来、電磁弁１０ａにはコイル２９の励磁により可動コア３３が作動した際、例えば該電磁弁１０ａのノイズ防止、コイル２９の動きを検出するインジケータライトで表示する機能する回路を構成したプリント基板を構成する基板４７が電磁弁１０ａのソレノイド組立体１２に組み込まれている（例えば、特許文献１参照）。
一方、図示しない電気的及び電子工学的構造部分、例えばソレノイドのノイズ防止、インジケーライト用を備えたプリント基板を構成する導体板１７が電磁弁コネクタであるケーブル差込み接続器１に内装され、図示しない電磁弁の外部に一体に取り付けている（例えば、特許文献２参照）。
【０００３】
【特許文献１】特開平１１−１９３８７６号公報
【特許文献２】特開平０６−１３２０４６号公報
【発明の開示】
【発明が解決しようとする課題】
【０００４】
しかしながら、特許文献１に記載されている電磁弁１０ａは、基板４７がソレノイド組立体１２に一体に取り付けられているため、コイル２９を装着するソレノイド組立体１２の構造が複雑になり、組立作業が煩雑になり、保守作業に多くの時間を要する。
特許文献２に記載されたケーブル差込み接続器１は、プラスチックケーシング２の中に設けられたコンタクトエレメント１８、１８´と嵌合する器具であるカバー分８の他に、コンタクトエレメント１８、１８´に電源側ケーブルを接続するコンタクト支持部分９と導体板１７を係合するので外形が大きくなりカバー部分８の外形も大きくなる。これにより、ケーブ差込み接続器１が大型化し電磁弁に取り付けるスペースも大きくなり、かつコストが上昇する。
本発明は、上記の課題を解決するためになされたもので、プリント基板とソケットコネクタとを機械的に結合し、プリント基板とソケットコネクタを電気的に接続することができる電磁弁用コネクタを提供することを目的とする。
【課題を解決するための手段】
【０００５】
上記の課題を達成するために、本発明は、ハウジングと、
前記ハウジングに嵌挿されたプリント基板と、
を有する電磁弁用コネクタにおいて、
前記ハウジングに嵌挿され電磁弁との係合により電気的結合する端子金具を有するターミナルソケットと、
電源側ケーブルに結合する電気回路を有するプリント基板と、
前記プリント基板に設けられ前記電気回路に接続される複数個の突起部材と、
を備え、
前突起部材が前記ターミナルソケットに配設された前記端子金具に整合する位置に設けられ、前記プリント基板を前記ターミナルソケットに嵌挿した際、前記突起部材が前記端子金具に係合して前記プリント基板と前記ターミナルソケットとが電気的に接続されることを特徴とする。
本発明によれば、プリント基板にリード線を直接半田付けするためのスルーホールを配置し、プリント基板の突起部材はターミナルソケットに設けられた端子金具のピッチに合わせて配置しているので、プリント基板の外形寸法を小さくすることができる。
請求項２記載の発明は、前記突起部材が電気回路の一部、前記ターミナルソケットと前記プリント基板とを固定及び位置決め機能を備えるので容易にプリント基板をコネクタ内部に配置することが可能になり、高機能を有し付加価値の高い電磁弁用コネクタを提供することができる。
請求項３記載の発明は、前記ハウジングが透明又は半透明の合成樹脂材料で形成されると、電磁弁の作動を視認することができるので、好適である。
【発明の効果】
【０００６】
本発明は、ターミナルソケットの端子金具の位置に合わせてプリント基板に金属性の突起部材を配設し、プリント基板上の電気回路を突起部材に配線することにより、ノイズ低減機能、チャタリング防止機能、フォトカプラによる無接点信号出力機能、センサーライト等の任意の回路を印刷回路として付加することができる。
これにより、コンパクトで付加価値の高く、保守管理が容易な電磁弁用コネクタを提供することができる。
【発明を実施するための最良の形態】
【０００７】
本発明の実施の形態に係る電磁弁用コネクタについて図面により詳細に説明する。図１は、本発明の第一の実施の形態に係る電磁弁用コネクタ２０の概略構造を示す縦断面図、図２は電磁弁用コネクタ２０の分解斜視図を示す。
図１において、電磁弁用コネクタ２０は、基本的にはハウジング２１と、前記ハウジング２１に嵌挿されたターミナルソケット２２と、前記ターミナルソケット２２に係合し該ターミナルソケットに電気的に結合するプリント基板２３とから構成され、これらのハウジング２１、ターミナルソケット２２、プリント基板２３は合成樹脂材料により成形されている。
ハウジング２１には、絶縁被覆により保護され電源側に結線されるケーブル(リード線)２５ａ〜２５ｃを備え電源ケーブ心線２４を受容するケーブル差込部２６と、前記ケーブル差込部２６に隣接して該ケーブル差込部２６に略直交した方向に延伸する断面略正形状の開口部２７とを、有する。ケーブル差込部２６の一端側開口部には内方にねじ部２８が形成されている。前記ねじ部２８には、開口部３０が形成されたねじソケット２９が螺着される。
【０００８】
ターミナルソケット２２は、ハウジング２１の差込部２７の開口部３３に嵌挿される板状の着座部３４と、該着座部３４には開口部３３に受容されるソケット本体３５とを、備える。前記着座部３４はハウジング２１の差込部２７の開口部３３に嵌挿されて電磁弁４８（図１参照）に係合する側を閉鎖する。
前記ソケット本体３５は、中央部に上方に延伸する円錐形の突起部３６が形成され、該突起部３６の基部に矩形状の取付部３７が形成されている。ターミナルソケット２２には、ソケットコネクタ３８が軸心方向に指向して一体に設けられている。前記ソケットコネクタ３８は、一方に電磁弁４８に係合して該電磁弁４８のアース端子及びコイルの電源供給端子（図示しない）に電気的に接続される端子金具４０ａ〜４０ｃと、他方に後述するプリント基板２３の裏面２３ｂに半田により接続され横断面円形状の細長い軸状に成形されたリード端子（ピン）３９ａ〜３９ｃに係合する端子金具４１ａ〜４１ｃとを、備える。前記リード端子３９ａ〜３９ｃは、横断面円形状の細長い軸状に成形されているが、図１に示す圧着端子形状の端子４９を裏面２３ｂに接合して勿論よい。
【０００９】
図４に示すように、前記プリント基板２３はその表面２３ａに、例えば電磁弁４８のノイズ低減機能、チャタリング防止機能、フォトカプラによる無接点信号出力機能及びセンサーライト等の（いずれも図示しない）を付加した電気回路が形成されている。さらに表面２３ａにはケーブル２５ａ〜２５ｃを直接半田付けするためのスルーホール４２ａ〜４２ｃが設けられ、これによりケーブル２５ａ〜２５ｃとスルーホール４２ａ〜４２ｃとのそれぞれが接続されている。
一方、プリント基板２３の裏面２３ｂに接続されたリード端子３９ａ〜３９ｃは表面２３ａの電気回路に配線されると共に、端子金具４１ａ〜４１ｃのピッチに整合する位置に配設されている。これにより、リード端子３９ａ〜３９ｃが夫々端子金具４１ａ〜４１ｃに係合して端子ねじ４４ａ〜４４ｃにより端子金具４１ａ〜４１ｃに螺着して電気的に接続される。よって、リード端子３９ａ〜３９ｃは、電気回路の一部となる機能を有すると共に、ターミナルソケット２２とプリント基板２３とを固定及び位置決め機能を有する。
なお、前記リード端子３９ａ〜３９ｃは、横断面円形状の細長い軸状に成形されているが、図１に示す圧着端子形状の端子４９を裏面２３ｂに接合して勿論よい。
さらに、リード端子３９ａ〜３９ｃに代わって細長い円筒形端子（図示しない）を設け、
該円筒形端子の内孔に端子金具４１ａ〜４１ｃに設けられた細長い軸状のピン端子（図示しない）を設けても勿論よい。この場合、円筒形端子及びピン端子に位相は相互に整合していることはいうまでもない。
【００１０】
本発明第一の実施の形態に係る電磁弁用コネクタ２０の組立手順について説明する。
先ず、プリント基板２３の表面２３ａには、電磁弁４８のノイズ低減機能、チャタリング防止機能、フォトカプラによる無接点信号出力機能等（いずれも図示しない）を付加した回路が形成され、スルーホール４２ａ〜４２ｃにケーブル２５ａ〜２５ｃが半田により接続されている。一方、プリント基板２３の裏面２３ａには、リード端子３９ａ〜３９ｃが半田により接続されている。
次いで、プリンタ基板２３の略中心部に形成された穴４５にターミナルソケット２２のソケット本体３５に形成される突起部３６を嵌挿し、リード端子３９ａ〜３９ｃをソケット本体３５に装着されているソケットコネクタ３８の端子金具４１ａ〜４１ｃに係合し、端子ねじ４４ａ〜４４ｃで螺着する。これにより、プリント基板２３はターミナルソケット２２に固定されると同時に端子金４１ａ〜４１ｃへの電気的結合（配線）も完了する。
【００１１】
ターミナルソケット２２、プリント基板２３及び電源ケーブル心線２４を一体にした状態で、電源ケーブル心線２４の先端をハウジング２１の開口部２７より入れて、ケーブル差込部２６より引き出すと共に、ターミナルソケット２２及びプリント基板２３をハウジング２１の開口部２７に嵌挿し、突起部３６の先端部をハウジング２１の凹部開口穴４６に挿入する。
次いで、電源ケーブル心線２４に順次、パッキン３２、座金３１、ねじソケット２９の開口部３０を嵌挿し、該ねじソケット２９のねじ部２８をハウジング２１に螺着すると、
ターミナルソケット２２及びプリント基板２３はハウジング２１に隙間なく密に嵌挿され電磁弁用コネクタ２０が形成される。
そして、ソケットコネクタ３８の端子金具４０を電磁弁４８に設けられた端子５０ａ〜５０ｃ（図１参照）に嵌合し、電磁弁用コネクタ２０の凹部開口穴４６より嵌挿した取付ボルト４７を電磁弁４８に螺着すると電磁弁４８に対するアース端子、電源供給端子（いずれも図示しない）に電気的に接続される。
この電磁弁用コネクタ２０において、ハウジング２１を透明または半透明にすることにより、コネクタ２０の内部が視認できるので、該コネクタ２０の動態をチェックすることができる。例えばセンサーライトが点灯表示しているかをチェックすることが可能である。
【００１２】
図３は、本発明の第二の実施の形態に係る電磁弁用コネクタ５０の概略構造を示す縦断面図である。図３中、図１及び図２の構成要素と同一の構成要素には、同一符号を付して詳細な説明を省略する。
この電磁弁用コネクタ５０は、電源ケーブル心線２４に第二のコネクタ５１を接続し、該コネクタ５１をハウジング２１のケーブル差込部２６のねじ部２８に螺着することを特徴とする。これにより、第二のコネクタ５１に例えば図示しない電源側に接続されるコネクタ付ケーブル５２を螺着することにより、容易に電磁弁用コネクタ５０接続できるという利点がある。
以上説明したように、本発明はターミナルソケットのターミナル端子の位置に合わせてプリント基板に金属性のリード端子を配設し、プリント基板上の電気回路をリード端子に配線することにより、ノイズ低減機能、チャタリング防止機能、フォトカプラによる無接点信号出力機能、センサーライト等の任意の回路を印刷回路として付加することができる。
これにより、コンパクトで付加価値の高く、保守管理が容易な電磁弁用コネクタを提供することができる。
【図面の簡単な説明】
【００１３】
【図１】本発明の第一の実施の形態に係る電磁弁用コネクタの概略構造を示す縦断面図である。
【図２】図１の電磁弁用コネクタの分解斜視図である。
【図３】本発明の第二の実施の形態に係る電磁弁用コネクタの概略構造示す縦断面図である。
【図４】（Ａ）は図１のプリント基板の正面図である。（Ｂ）は図１の側面図である。
【符号の説明】
【００１４】
２０、５０  電磁弁用コネクタ          ３６  突起部
２１  ハウジング                      ３７  取付部
２２  ターミナルソケット              ３８  ソケットコネクタ
２３  プリント基板                    ３９  リード端子
２４  電源ケーブル心線                ４０、４１  端子金具
２５  ケーブル                        ４２ａ〜４２ｃ  スルーホール
２６  差込部                          ４４ａ〜４４ｃ  端子ねじ
２７、３０、３３  開口部              ４５  穴
２８  ねじ部                          ４６  凹部開口部
２９  ねじソケット                    ４７  取付ボルト
３４  着座部                          ４８  電磁弁
３５  ソケット本体                    ５１  第二のコネクタ
５２  コネクタ付ブッシュ
【図１】
2007005065.tif 000003
【図２】
2007005065.tif 000004
【図３】
2007005065.tif 000005
【図４】
2007005065.tif 000006